(57)【要約】  この移動型Ｘ線撮影装置（１００）は、予め表示部（４）に表示されているウインドウ（Ｗ）に重ならないようにソフトウェアキーボード（Ｓ）を表示部（４）の表示領域の下方に表示可能である場合、ソフトウェアキーボード（Ｓ）を表示部（４）の表示領域の下方に表示する制御を行うように構成されている制御部（５）を備える。
2018159067.tif 000002
【特許請求の範囲】
【請求項１】
移動可能に設置された移動型Ｘ線撮影装置であって、
被検体にＸ線を照射するＸ線照射部と、
前記被検体を透過したＸ線を検出し、Ｘ線画像を撮影するＸ線検出部と、
情報を入力するための少なくとも１つの情報入力領域を設けられた情報入力画面と、前記情報の入力時に呼び出されるソフトウェアキーボード画面とを表示する表示部と、
前記表示部における前記情報入力領域が設けられた前記情報入力画面と前記ソフトウェアキーボード画面との表示を制御する制御部とを備え、
前記制御部は、前記情報の入力時に呼び出された前記ソフトウェアキーボード画面を前記表示部に表示する際に、予め前記表示部に表示されている前記情報入力画面に重ならないように前記ソフトウェアキーボード画面を前記表示部の表示領域の下方に表示可能である場合、前記ソフトウェアキーボード画面を前記表示部の前記表示領域の下方に表示する制御を行うように構成されている、移動型Ｘ線撮影装置。
【請求項２】
前記情報入力領域は、文字に関する前記情報が入力されるテキストボックスを含む、請求項１に記載の移動型Ｘ線撮影装置。
【請求項３】
前記ソフトウェアキーボード画面の上下方向の幅は、前記表示領域の上下方向の幅の半分よりも小さくなるように構成されている、請求項１に記載の移動型Ｘ線撮影装置。
【請求項４】
前記制御部は、前記情報の入力時に呼び出された前記ソフトウェアキーボード画面を前記表示部に表示する際に、予め前記表示部に表示されている前記情報入力画面に重ならないように前記ソフトウェアキーボード画面を前記表示領域の下方に表示可能でない場合、前記情報入力画面が前記ソフトウェアキーボード画面に重ならないように前記情報入力画面を前記表示領域の上方に移動させるとともに、前記ソフトウェアキーボード画面を前記表示部の前記表示領域の下方に表示する制御を行うように構成されている、請求項１に記載の移動型Ｘ線撮影装置。
【請求項５】
前記制御部は、前記情報の入力時に呼び出された前記ソフトウェアキーボード画面を前記表示部に表示する際に、予め前記表示部に表示されている前記情報入力画面に重ならないように前記ソフトウェアキーボード画面を前記表示領域の下方に表示可能でない場合、かつ、前記ソフトウェアキーボード画面に重ならないように前記情報入力画面を前記表示領域の上方に移動させても前記ソフトウェアキーボード画面が前記情報入力画面に重なる場合、前記情報入力画面に設けられる前記情報入力領域に重ならないように、前記情報入力画面の位置を移動させないで前記ソフトウェアキーボード画面を前記表示領域の下方に表示する制御を行うように構成されている、請求項４に記載の移動型Ｘ線撮影装置。
【請求項６】
前記制御部は、前記情報入力画面に設けられる前記情報入力領域に重ならないように前記ソフトウェアキーボード画面を前記表示部の前記表示領域の下方に表示可能でない場合、前記情報入力領域が前記ソフトウェアキーボード画面に重ならないように前記情報入力画面を前記表示領域の上方に移動させるとともに、前記ソフトウェアキーボード画面を前記表示部の前記表示領域の下方に表示する制御を行うように構成されている、請求項５に記載の移動型Ｘ線撮影装置。
【請求項７】
前記制御部は、前記情報入力画面に設けられる前記情報入力領域に重ならないように前記ソフトウェアキーボード画面を前記表示部の前記表示領域の下方に表示可能でない場合、かつ、前記ソフトウェアキーボード画面に重ならないように前記情報入力画面を前記表示領域の上方に移動させても前記ソフトウェアキーボード画面が前記情報入力領域に重なる場合、前記情報入力画面に設けられる前記情報入力領域に重ならないように、前記情報入力画面の位置を移動させないで前記ソフトウェアキーボード画面を前記表示領域の上方に表示する制御を行うように構成されている、請求項６に記載の移動型Ｘ線撮影装置。
【請求項８】
前記情報入力領域は、前記情報入力画面に設けられる第１情報入力領域および第２情報入力領域を含み、
前記制御部は、前記第１情報入力領域が選択され前記第１情報入力領域に前記情報の入力が可能となった状態から、前記第２情報入力領域が選択され前記第２情報入力領域に前記情報の入力が可能となった状態に移行する際において、前記ソフトウェアキーボード画面が前記第２情報入力領域に重なる場合、前記ソフトウェアキーボード画面が前記第２情報入力領域に重ならないように、前記情報入力画面を前記表示領域の上方に移動させる制御、または、前記ソフトウェアキーボード画面を前記表示領域の上方に表示する制御のうちの少なくともいずれか一方を行うように構成されている、請求項７に記載の移動型Ｘ線撮影装置。
【請求項９】
Ｘ線撮影装置本体を移動させるための車輪をさらに備え、
前記表示部は、前記Ｘ線撮影装置本体に表示面が寝かされた状態で配置されている、請求項１に記載の移動型Ｘ線撮影装置。
【請求項１０】
移動可能に設置された移動型Ｘ線撮影装置の表示部の制御方法であって、
前記表示部に情報入力画面を表示するステップと、
情報の入力時に呼び出されたソフトウェアキーボード画面を前記表示部に表示する際に、予め前記表示部に表示されている前記情報入力画面に重ならないように前記ソフトウェアキーボード画面を前記表示部の表示領域の下方に表示可能である場合、前記ソフトウェアキーボード画面を前記表示部の表示領域の下方に表示するステップとを備える、移動型Ｘ線撮影装置の表示部の制御方法。
【発明の詳細な説明】
【技術分野】
【０００１】
本発明は、移動型Ｘ線撮影装置および移動型Ｘ線撮影装置の表示部の制御方法に関し、特に、ソフトウェアキーボード画面を表示する表示部を備える移動型Ｘ線撮影装置および移動型Ｘ線撮影装置の表示部の制御方法に関する。
【背景技術】
【０００２】
従来、ソフトウェアキーボード画面を表示する表示部を備える自動分析装置が知られている。このような自動分析装置は、たとえば、特開２００６−１３８７７９号公報に開示されている。【０００３】
上記特開２００６−１３８７７９号公報に記載の自動分析装置の表示部には、停止ボタン等を含むグローバルアクションボタン表示エリアと、入力する情報を特定するためのキーボード（ソフトウェアキーボード画面）と、データが入力される入力域（情報入力領域）が設けられた情報入力画面とが表示されるように構成されている。ここで、グローバルアクションボタン表示エリアには、比較的頻繁にアクセスされる機能（自動分析装置の停止などの機能）に関係するボタンが表示される。そして、オペレータの操作により入力域が編集状態にされたとき、表示部にソフトウェアキーボード画面が表示される。このとき、ソフトウェアキーボード画面は、グローバルアクションボタン表示エリアに重ならないように表示される。これにより、ソフトウェアキーボード画面が表示された状態でも、グローバルアクションボタン表示エリアがソフトウェアキーボード画面に隠れないので、グローバルアクションボタン表示エリアに表示されている比較的頻繁にアクセスされる機能に関係するボタンを迅速に押下することが可能になる。【０００４】
なお、ソフトウェアキーボード画面には編集エリアが設けられている。編集エリアには、ソフトウェアキーボード画面によって入力された内容（文字など）が入力（表示）される。そして、ソフトウェアキーボード画面のＥｎｔｅｒキーが押下されることにより、編集エリアに入力された内容が、入力域（実際に入力されるテキストボックスなど）に入力される。これにより、実際に入力されるテキストボックスがソフトウェアキーボード画面の背後に隠れている場合でも、テキストボックスに所望の内容を入力することが可能になる。
【先行技術文献】
【特許文献】
【０００５】
【特許文献１】特開２００６−１３８７７９号公報
【発明の概要】
【発明が解決しようとする課題】
【０００６】
しかしながら、上記特開２００６−１３８７７９号公報に記載の自動分析装置では、オペレータの操作によって表示されるソフトウェアキーボード画面は、グローバルアクションボタン表示エリアに重ならないように表示される一方、グローバルアクションボタン表示エリア以外のいずれの領域にソフトウェアキーボード画面が表示されるかについては明確には記載されていない。このため、オペレータの操作毎に（オペレータの情報の入力時に呼び出される毎に）ソフトウェアキーボード画面が表示されるエリアが異なる場合があると考えられる。これにより、表示すべき情報（たとえば、ソフトウェアキーボード画面により入力される文字列や数値の情報など）にソフトウェアキーボード画面が重なって表示され、表示すべき情報が隠される場合がある。この場合、表示すべき情報と重ならないように、ソフトウェアキーボード画面を最初に表示された位置から移動させるという操作者（ユーザ）の手間が生じる。すなわち、表示すべき情報の上にソフトウェアキーボード画面が重なることにより、表示画面の操作性が悪くなるという不都合がある。また、ソフトウェアキーボード画面が表示される毎に表示領域に対するキーの位置が異なるので、ソフトウェアキーボード画面の操作性が悪くなるという不都合がある。これらの結果、情報の入力時に呼び出されるソフトウェアキーボード画面により表示画面の操作性が悪くなるという問題点がある。【０００７】
この発明は、上記のような課題を解決するためになされたものであり、情報の入力時に呼び出されるソフトウェアキーボード画面により表示画面の操作性が悪くなるのを抑制することが可能な移動型Ｘ線撮影装置および移動型Ｘ線撮影装置の表示部の制御方法を提供することである。
【課題を解決するための手段】
【０００８】
上記目的を達成するために、この発明の第１の局面における移動型Ｘ線撮影装置は、移動可能に設置された移動型Ｘ線撮影装置であって、被検体にＸ線を照射するＸ線照射部と、被検体を透過したＸ線を検出し、Ｘ線画像を撮影するＸ線検出部と、情報を入力するための少なくとも１つの情報入力領域を設けられた情報入力画面と、情報の入力時に呼び出されるソフトウェアキーボード画面とを表示する表示部と、表示部における情報入力領域が設けられた情報入力画面とソフトウェアキーボード画面との表示を制御する制御部とを備え、制御部は、情報の入力時に呼び出されたソフトウェアキーボード画面を表示部に表示する際に、予め表示部に表示されている情報入力画面に重ならないようにソフトウェアキーボード画面を表示部の表示領域の下方に表示可能である場合、ソフトウェアキーボード画面を表示部の表示領域の下方に表示する制御を行うように構成されている。【０００９】
この発明の第１の局面による移動型Ｘ線撮影装置では、上記のように、制御部を、情報の入力時に呼び出されたソフトウェアキーボード画面を表示部に表示する際に、予め表示部に表示されている情報入力画面に重ならないようにソフトウェアキーボード画面を表示部の表示領域の下方に表示可能である場合、ソフトウェアキーボード画面を表示部の表示領域の下方に表示する制御を行うように構成する。これにより、予め表示部に表示されている情報入力画面に重ならないようにソフトウェアキーボード画面を表示部の表示領域の下方に表示可能である場合には、ソフトウェアキーボード画面が情報入力画面に重ならないように表示されるので、表示すべき情報（たとえば、ソフトウェアキーボード画面により入力される数値や文字列の情報など）にソフトウェアキーボード画面が重なって表示され、表示すべき情報が隠されることを抑制することができる。すなわち、ソフトウェアキーボード画面が表示画面への入力操作を妨げる位置に表示されることを抑制することができる。また、ソフトウェアキーボード画面が表示部の表示領域の下方に表示されるので、ソフトウェアキーボード画面を原則として表示領域の下方に表示することができる。したがって、情報の入力時に呼び出されるソフトウェアキーボード画面の表示位置が呼び出すごとに異なることが抑制されるので、情報の入力時に呼び出されるソフトウェアキーボード画面の操作性が悪くなるのを抑制することができる。これらの結果、情報の入力時に呼び出されるソフトウェアキーボード画面により表示画面の操作性が悪くなるのを抑制することができる。【００１０】
また、ソフトウェアキーボード画面を操作者がタッチすることにより情報を入力する場合（すなわち、表示部がタッチパネルである場合）、操作者の手および腕が表示部に表示された画像（情報）を覆う場合がある。そこで、ソフトウェアキーボード画面を表示部の表示領域の下方に表示するように構成することによって、ソフトウェアキーボード画面が表示領域の上方に表示される場合と比べて、操作者の手および腕が表示部（表示部に表示された画像）を覆う領域（面積）を小さくすることができる。その結果、ソフトウェアキーボード画面に対する入力操作時に、表示部に表示された画像の視認性が悪くなるのを抑制することができる。すなわち、表示部に表示された画像（文字を含む情報）に基づいて行われるソフトウェアキーボード画面を使用した情報入力の操作性が悪くなるのを抑制することができる。【００１１】
上記第１の局面による移動型Ｘ線撮影装置において、好ましくは、情報入力領域は、文字に関する情報が入力されるテキストボックスを含む。このように構成すれば、ソフトウェアキーボード画面と重ならないように表示される情報入力領域のテキストボックスを見ながら、表示されたソフトウェアキーボード画面により文字情報を入力することができる。【００１２】
上記第１の局面による移動型Ｘ線撮影装置において、好ましくは、ソフトウェアキーボード画面の上下方向の幅は、表示領域の上下方向の幅の半分よりも小さくなるように構成されている。このように構成すれば、ソフトウェアキーボード画面の面積が比較的小さくなるので、ソフトウェアキーボード画面が情報入力画面に重なるのを容易に抑制することができる。【００１３】
上記第１の局面による移動型Ｘ線撮影装置において、好ましくは、制御部は、情報の入力時に呼び出されたソフトウェアキーボード画面を表示部に表示する際に、予め表示部に表示されている情報入力画面に重ならないようにソフトウェアキーボード画面を表示領域の下方に表示可能でない場合、ソフトウェアキーボード画面に重ならないように情報入力画面を表示領域の上方に移動させるとともに、ソフトウェアキーボード画面を表示部の表示領域の下方に表示する制御を行うように構成されている。このように構成すれば、情報入力画面が表示領域の上方に移動されるので、ソフトウェアキーボード画面が情報入力画面に重なるのを、容易に抑制することができる。【００１４】
この場合、好ましくは、制御部は、情報の入力時に呼び出されたソフトウェアキーボード画面を表示部に表示する際に、予め表示部に表示されている情報入力画面に重ならないようにソフトウェアキーボード画面を表示領域の下方に表示可能でない場合、かつ、ソフトウェアキーボード画面に重ならないように情報入力画面を表示領域の上方に移動させてもソフトウェアキーボード画面が情報入力画面に重なる場合、情報入力画面に設けられる情報入力領域に重ならないように、情報入力画面の位置を移動させないでソフトウェアキーボード画面を表示領域の下方に表示する制御を行うように構成されている。このように構成すれば、ソフトウェアキーボード画面を表示した状態で情報入力画面のうちの少なくとも情報入力領域を視認することができるので、操作者の手および腕が表示部（表示部に表示された画像）を覆う領域（面積）を小さくした状態で、情報入力領域を視認しながらソフトウェアキーボード画面を操作することができる。また、情報入力画面の位置を移動させないので、情報入力画面の移動に起因する操作者の視線移動の負担が生じるのを抑制することができる。【００１５】
上記情報入力画面の位置を移動させないで、情報入力画面に設けられた情報入力領域に重ならないように、ソフトウェアキーボード画面を表示領域の下方に表示する移動型Ｘ線撮影装置において、好ましくは、制御部は、情報入力画面に設けられる情報入力領域に重ならないようにソフトウェアキーボード画面を表示部の表示領域の下方に表示可能でない場合、情報入力領域がソフトウェアキーボード画面に重ならないように情報入力画面を表示領域の上方に移動させるとともに、ソフトウェアキーボード画面を表示部の表示領域の下方に表示する制御を行うように構成されている。このように構成すれば、ソフトウェアキーボード画面を表示した状態で情報入力画面のうちの少なくとも情報入力領域を視認することができるので、情報入力領域を視認しながらソフトウェアキーボード画面を操作することができる。【００１６】
上記情報入力画面の位置を上方に移動させるとともに、情報入力画面の情報入力領域に重ならないように、ソフトウェアキーボード画面を表示領域の下方に表示する移動型Ｘ線撮影装置において、好ましくは、制御部は、情報入力画面に設けられる情報入力領域に重ならないようにソフトウェアキーボード画面を表示部の表示領域の下方に表示可能でない場合、かつ、ソフトウェアキーボード画面に重ならないように情報入力画面を表示領域の上方に移動させてもソフトウェアキーボード画面が情報入力領域に重なる場合、情報入力画面に設けられる情報入力領域に重ならないように、情報入力画面の位置を移動させないでソフトウェアキーボード画面を表示領域の上方に表示する制御を行うように構成されている。このように構成すれば、ソフトウェアキーボード画面を表示した状態で情報入力画面のうちの少なくとも情報入力領域を視認することができるので、情報入力領域を視認しながらソフトウェアキーボード画面を操作することができる。【００１７】
上記ソフトウェアキーボード画面を表示領域の上方に表示する移動型Ｘ線撮影装置において、好ましくは、情報入力領域は、情報入力画面に設けられる第１情報入力領域および第２情報入力領域を含み、制御部は、第１情報入力領域が選択され第１情報入力領域に情報の入力が可能となった状態から、第２情報入力領域が選択され第２情報入力領域に情報の入力が可能となった状態に移行する際において、ソフトウェアキーボード画面が第２情報入力領域に重なる場合、ソフトウェアキーボード画面が第２情報入力領域に重ならないように、情報入力画面を表示領域の上方に移動させる制御、または、ソフトウェアキーボード画面を表示領域の上方に表示する制御のうちの少なくともいずれか一方を行うように構成されている。このように構成すれば、選択される情報入力領域が移行したとしても、ソフトウェアキーボード画面が情報入力領域に重なるのを抑制することができる。【００１８】
上記第１の局面による移動型Ｘ線撮影装置において、好ましくは、Ｘ線撮影装置本体を移動させるための車輪をさらに備え、表示部は、Ｘ線撮影装置本体に表示面が寝かされた状態で配置されている。ここで、Ｘ線撮影装置本体に表示面が寝かされた状態で配置されている表示部では、表示部の表示領域の下方が操作者の手前側になる。そこで、ソフトウェアキーボード画面を表示部の表示領域の下方に表示する制御を行うように構成することは、寝かされた状態で配置されている表示部において、操作者の手および腕が表示部（表示部に表示された画像）を覆う領域（面積）を小さくするという点において、特に有効である。なお、「寝かされた状態」とは、表示部の表示面が水平となるように配置されている状態の他、表示部の表示面が水平面に対して操作者側に向かって下方に傾斜している状態も含む広い概念である。【００１９】
この発明の第２の局面における移動型Ｘ線撮影装置の表示部の制御方法は、移動可能に設置された移動型Ｘ線撮影装置の表示部の制御方法であって、表示部に情報入力画面を表示するステップと、情報の入力時に呼び出されたソフトウェアキーボード画面を表示部に表示する際に、予め表示部に表示されている情報入力画面に重ならないようにソフトウェアキーボード画面を表示部の表示領域の下方に表示可能である場合、ソフトウェアキーボード画面を表示部の表示領域の下方に表示するステップとを備える。【００２０】
この発明の第２の局面による移動型Ｘ線撮影装置の表示部の制御方法では、上記のように、情報の入力時に呼び出されたソフトウェアキーボード画面を表示部に表示する際に、予め表示部に表示されている情報入力画面に重ならないようにソフトウェアキーボード画面を表示部の表示領域の下方に表示可能である場合、ソフトウェアキーボード画面を表示部の表示領域の下方に表示するステップを備える。これにより、予め表示部に表示されている情報入力画面に重ならないようにソフトウェアキーボード画面を表示部の表示領域の下方に表示可能である場合には、ソフトウェアキーボード画面が情報入力画面に重ならないように表示されるので、表示すべき情報（たとえば、ソフトウェアキーボード画面により入力される数値や文字列の情報など）にソフトウェアキーボード画面が重なって表示され、表示すべき情報が隠されることを抑制することができる。すなわち、ソフトウェアキーボード画面が表示画面への入力操作を妨げるのを抑制することができる。また、ソフトウェアキーボード画面が表示部の表示領域の下方に表示されるので、ソフトウェアキーボード画面を原則として表示領域の下方に表示することができる。したがって、情報の入力時に呼び出されるソフトウェアキーボード画面の表示位置が呼び出すごとに異なることが抑制されるので、情報の入力時に呼び出されるソフトウェアキーボード画面の操作性が悪くなるのを抑制することができる。これらの結果、情報の入力時に呼び出されるソフトウェアキーボード画面により表示画面の操作性が悪くなるのを抑制することができる。
【発明の効果】
【００２１】
本発明によれば、上記のように、情報の入力時に呼び出されるソフトウェアキーボード画面により表示画面の操作性が悪くなるのを抑制することができる。
【図面の簡単な説明】
【００２２】
【図１】本発明の一実施形態による移動型Ｘ線撮影装置の全体構成を示した模式図である。
【図２】本発明の一実施形態によるウインドウの一例を示す図である。
【図３】本発明の一実施形態による表示位置決定処理を示すフローチャートである。
【図４】本発明の一実施形態によるウインドウに重ならずにソフトウェアキーボードを画面下方に表示可能なウインドウの状態を示す図である。
【図５】本発明の一実施形態によるウインドウを上方に移動させることによりウインドウに重ならずにソフトウェアキーボードを画面下方に表示可能なウインドウの状態を示す図である。
【図６】本発明の一実施形態による入力対象のテキストボックスに重ならずにソフトウェアキーボードを画面下方に表示可能なウインドウの状態を示す図である。
【図７】本発明の一実施形態によるウインドウを上方に移動させてソフトウェアキーボードを画面下方に表示可能なウインドウの状態を示す図である。
【図８】本発明の一実施形態による入力対象のテキストボックスに重ならずにソフトウェアキーボードを画面下方に表示可能ではないウインドウの状態を示す図である。
【図９】本発明の一実施形態による入力対象となるテキストボックスが移行される場合の処理について説明するための図である。
【発明を実施するための形態】
【００２３】
以下、本発明を具体化した実施形態を図面に基づいて説明する。
【００２４】
（移動型Ｘ線撮影装置の構成）
まず、図１および図２を参照して、本実施形態による移動型Ｘ線撮影装置１００の構成について説明する。
【００２５】
本実施形態による移動型Ｘ線撮影装置１００は、装置全体が移動可能であり、回診時に、病院の各病室にいる患者（被検体）の元へ移動してＸ線撮影することが可能となるように構成されている。また、図１（ａ）に示すように、移動型Ｘ線撮影装置１００は、装置本体部１と、Ｘ線照射部２と、Ｘ線検出部３と、表示部４と、制御部５とを備えている。
【００２６】
装置本体部１は、筐体１０と、複数の車輪１１と、支柱１２と、ハンドル部１３と、照射部載置部１４と、収納部１５とを含む。複数の車輪１１は、各々筐体１０に取り付けられ、装置本体部１の移動方向に合わせて向きを変える前輪１１１と、筐体１０に内蔵される図示しないモータにより回転駆動する後輪１１２とを有している。すなわち、この移動型Ｘ線撮影装置１００は、移動可能に設置されている。支柱１２は、長手方向が垂直方向となるように筐体１０に設置され、中心軸を中心に回転移動可能に構成されている。ハンドル部１３は、操作者が装置本体部１を移動させる場合に把持して押すための棒状の把持部１３１と、ハンドル部１３全体を筐体１０に固定するための接続部１３２を有する。なお、ハンドル部１３（把持部１３１）は、操作者が表示部４を見る際に、視界を遮らない位置に配置されている。照射部載置部１４は、Ｘ線照射部２が下げられた場合に、最下位置でＸ線照射部２を受け止めて固定する。収納部１５は、Ｘ線検出部３等が収納される。なお、装置本体部１は、請求の範囲の「Ｘ線撮影装置本体」の一例である。
【００２７】
Ｘ線照射部２は、Ｘ線管２１と、遮蔽部２２と、腕部２３とを含む。Ｘ線管２１（Ｘ線照射部２）は、被検体にＸ線を照射する。遮蔽部２２は、Ｘ線管２１に対して照射方向側に取り付けられ、開閉することによりＸ線の照射範囲を調整する（絞る）図示しない遮蔽部材を内部に有する。腕部２３は、Ｘ線管２１および遮蔽部２２を支持している。また、腕部２３は、上下方向（Ｚ１およびＺ２方向）に上下移動が可能な状態で支柱に取り付けられており、支柱１２とともに支柱（Ｚ軸）を中心に水平面（Ｘ−Ｙ面）内で回転移動が可能である。腕部２３（Ｘ線照射部２）は、Ｘ線画像Ｉの撮影時には、支柱１２とともに表示部４とは反対側に回転される。また、腕部２３（Ｘ線照射部２）は、水平方向に伸縮可能に構成されている。なお、Ｘ線照射部２の移動（Ｘ線照射位置の調整）およびＸ線照射範囲の調整は、撮影者（ユーザ）により行われる。また、Ｘ線照射部２の照射強度は、Ｘ線管２１を制御する図示しない制御装置により行われる。
【００２８】
Ｘ線検出部３は、被検体を透過したＸ線を検出する一対のＦＰＤ（Ｆｌａｔ  Ｐａｎｅｌ  Ｄｅｔｅｃｔｏｒ：フラットパネルディテクター）３１とＦＰＤ３２とを含む。ＦＰＤ３１および３２は、制御部５と無線による通信が可能となっており、撮影時には被検体の撮影箇所の下方（被検体に対してＸ線管２１の反対側）に配置され、検出したＸ線の情報を制御部５に送信する。また、Ｘ線検出部３は、移動型Ｘ線撮影装置１００の移動時には、収納部１５に収納される。
【００２９】
表示部４は、移動型Ｘ線撮影装置１００の装置本体部１（筐体１０）に表示面４０が寝かされた状態で配置されている。これにより、表示部４の表示面４０が立てられた状態で配置されている場合と異なり、表示部４よりも遠方を視認しようとする場合の操作者の視線を表示面４０が遮ることが抑制される。また、表示部４の表示領域（表示面４０）は、表示部４の表示面４０が水平面に対して操作者側に向かって下方に傾斜するように配置されている。また、表示部４は、上記のように、Ｘ線照射部２とＸ線検出部３とともに移動可能に構成されている。
【００３０】
図１（ｂ）に示すように、表示部４は斜線で示される表示領域（表示面４０）を有している。図１（ｂ）は、図１（ａ）に示すＰ方向から移動型Ｘ線撮影装置１００を見た図である。表示領域（表示面４０）は、画像や文字テキスト等を表示するとともに、操作者の指やタッチペン等がタッチされることにより、入力を受け付ける。すなわち、表示部４は、タッチパネルとなっている。
【００３１】
また、図２および図４〜図９に示すように、表示部４は、表示領域（表示面４０）に、情報を入力するための少なくとも１つのテキストボックスＴが設けられたウインドウＷと、情報の入力時に呼び出されるソフトウェアキーボードＳとを表示する。
【００３２】
一例として、図２に基づいて、患者情報を編集するウインドウＷ０が表示される例を説明する。図２（ａ）に示すように、患者情報ｉ、Ｘ線画像Ｉ、複数のボタンｂ１、ｂ２、ｂ３、ｂ４、ｂ５、ｂ６、ｂ７、ｂ８、ｂ９およびｂ１０が表示領域（表示面４０）に表示されている。患者情報ｉは、患者名、患者ＩＤおよび受付番号を含んでいる。
【００３３】
ボタンｂ１〜ｂ５は、患者（被検体）の撮影部位を選択する場合や、既に撮影された撮影部位のＸ線画像Ｉを表示領域（表示面４０）に表示させる場合にタッチされ（押され）る。たとえば、ボタンｂ１は胸部正面に、ボタンｂ２は腹部正面に、ボタンｂ３は骨盤正面にそれぞれ対応している。図２（ａ）では、胸部正面が選択されているため、既に撮影された胸部正面のＸ線画像Ｉが表示されている。骨盤正面の撮影がまだ行われていない場合、骨盤正面に対応するボタンｂ３をタッチした状態でＸ線撮影すると、撮影されたＸ線画像Ｉが骨盤正面の画像としてメモリに保存される。ボタンｂ６〜ｂ８は、Ｘ線画像を画像処理調整する場合にタッチされる。たとえば、ボタンｂ６およびボタンｂ７は、Ｘ線画像Ｉの輝度およびコントラストを調整する場合にタッチされる。ボタンｂ９は検査を終了する際にタッチされる。ボタンｂ１０は、撮影者が患者情報ｉを編集する場合にタッチされ、患者情報ｉを編集するためのウインドウＷ０（Ｗ）を表示させる。なお、ウインドウＷは、請求の範囲の「情報入力画面」の一例である。
【００３４】
ボタンｂ１０がタッチされると、図２（ｂ）に示すように、検査情報編集画面であるウインドウＷ０が表示される。ウインドウＷ０は、患者ＩＤ、患者名および受付番号にそれぞれ対応し文字に関する情報が入力されるテキストボックスＴａ（Ｔ）、Ｔｂ（Ｔ）およびＴｃ（Ｔ）と、決定ボタン（ＯＫボタン）Ｏと取り消しボタン（キャンセルボタン）Ｃを含んでいる。テキストボックスＴは、文字等の情報が表示されるとともに、操作者がテキストボックスＴに入力を行うことにより、文字情報（内容）に追加や修正を行うことができる。また、決定ボタンＯおよび取り消しボタンＣは、テキストボックスＴにソフトウェアキーボードＳ（後述）による文字等の情報が入力された状態をそれぞれ決定および取り消すために設けられている。また、たとえば、ウインドウＷにおいて、テキストボックスＴは左側、決定ボタンＯおよび取り消しボタンＣは右側となるように表示されている。なお、ソフトウェアキーボードＳは、請求の範囲の「ソフトウェアキーボード画面」の一例である。また、テキストボックスＴは、請求の範囲の「情報入力領域」の一例である。
【００３５】
ソフトウェアキーボードＳは、ウインドウＷに重なることにより表示領域（表示面４０）の画像情報（表示内容）の量を減らさないように、通常は非表示状態となっている。そして、ソフトウェアキーボードＳは、テキストボックスＴがタッチされ文字入力を受け付ける状態になると、表示される。また、ソフトウェアキーボードＳは、対応する機能が実行される各種機能キーＫａと、対応する文字が入力される各種文字キーＫｂとを含んでいる。また、各種機能キーＫａは、たとえば、ＥｎｔｅｒキーＫ０やＴａｂキーＫ１を含む。ＥｎｔｅｒキーＫ０がタッチされると、テキストボックスＴに各種文字キーＫｂにより入力された文字列が決定される。ＴａｂキーＫ１については、後述する。
【００３６】
ここで、たとえば、撮影者（ユーザ）は、患者ＩＤに誤りがあった場合に、ソフトウェアキーボードＳにより患者ＩＤの情報を修正することができる。対応するテキストボックスＴａ（Ｔ）をタッチし、テキストボックスＴａ（Ｔ）に後述するフォーカスを取得させる。テキストボックスＴａ（Ｔ）がフォーカスを取得すると、図２（ｃ）に示すように、ソフトウェアキーボードＳが呼び出され、表示される。撮影者（ユーザ）は、ソフトウェアキーボードＳの文字キーＫｂをタッチすることにより、タッチされた文字キーＫｂに対応する文字がテキストボックスＴａに入力される。また、ソフトウェアキーボードＳの機能キーＫａをタッチすることにより、機能キーＫａに対応する文字列の削除や変換等の操作が行われる。なお、ウインドウＷの占有する領域（サイズ）は様々であり、図２（ｃ）のように、ウインドウＷ０（Ｗ）およびテキストボックスＴａ（Ｔ）とソフトウェアキーボードＳとの重なりが生じない場合もあれば、後に説明するように、ウインドウＷ０（Ｗ）やテキストボックスＴａ（Ｔ）とソフトウェアキーボードＳとの重なりが生じる場合もある。
【００３７】
なお、ソフトウェアキーボードＳのサイズは操作者が所定の大きさの範囲で変更することができる。また、ソフトウェアキーボードＳは、表示部４の表示領域（表示面４０）をタッチすることにより入力がなされるため、操作者の指等でタッチするために必要なサイズを各種文字キーや各種機能キーが確保可能な大きさとなるように構成されている。また、各種機能キーＫａおよび各種文字キーＫｂの配列は一例であり、各種文字キーＫｂの部分が数字に対応するテンキーボード等でもよい。また、ウインドウＷ０（Ｗ）は、不要になった場合は、図２（ａ）のような非表示状態に戻すこともできる。すなわち、ウインドウＷは、常に表示されているわけではなく、必要に応じて表示される。
【００３８】
図２に示すように、制御部５は、表示部４におけるテキストボックスＴが設けられたウインドウＷおよびソフトウェアキーボードＳの表示を制御するとともに、表示部４に対してなされた文字等の入力情報を処理する。また、図１に示すように、制御部５は、装置本体部１（筐体１０）に内蔵されて（内部に設けられて）いる。また、制御部５は、Ｘ線検出部３から受信する検出（受像）されたＸ線の情報に基づいてＸ線画像Ｉを生成し、画像処理を加える。
【００３９】
（表示位置決定処理）
次に、図３のフローチャートおよび図４〜図８を参照して、本実施形態の表示部４に表示されるウインドウＷおよびソフトウェアキーボードＳの表示位置決定処理（表示部４の制御方法）について説明する。なお、ソフトウェアキーボードＳの表示位置決定処理は、制御部５により行われる。
【００４０】
ステップＳ１において、テキストボックスＴが操作者によりタッチされれば（Ｙｅｓ）、ステップＳ２に進み、タッチされなければ（Ｎｏ）、ステップＳ１に戻る。具体的には、ウインドウＷに設けられたテキストボックスＴの占有領域がタッチされた場合に、ステップＳ２に進む。
【００４１】
ステップＳ２において、テキストボックスＴが選択されることによりフォーカスを取得した状態となり、ステップＳ３に進む。
【００４２】
具体的には、フォーカスを取得した状態とは、テキストボックスＴがタッチ（選択）されることにより、テキストボックスＴが入力を受け付けることが可能となった状態を意味する。そして、表示されたソフトウェアキーボードＳの各種文字キーＫｂがタッチされることにより、対応する文字が入力され、テキストボックスＴに表示される。なお、フォーカスを取得した状態とは、請求の範囲の「情報の入力が可能となった状態」の一例である。
【００４３】
ステップＳ３において、フォーカスを取得したテキストボックスＴが設けられたウインドウＷの占有領域（表示領域に占めるサイズ）が取得され、ステップＳ４に進む。
【００４４】
ステップＳ４において、ソフトウェアキーボードＳの表示サイズ（表示領域に占めるサイズ）が取得され、ステップＳ５に進む。なお、ステップＳ４は、ソフトウェアキーボードＳの表示サイズが予め取得されている（たとえば、前回表示時点から表示サイズの変更がされていない等）場合には、省略されてもよい。また、ステップＳ４は、後述するステップＳ５が行われる前であれば、どのタイミングで行われてもかまわない。
【００４５】
ここで、本実施形態の移動型Ｘ線撮影装置１００では、制御部５は、情報の入力時に呼び出されたソフトウェアキーボードＳを表示部４に表示する際に、予め表示部４に表示されているウインドウＷに重ならないようにソフトウェアキーボードＳを表示部４の表示領域の下方に表示可能（図４（ｂ）参照）である場合（ステップＳ５のＹｅｓの場合）、ソフトウェアキーボードＳを表示部４の表示領域（表示面４０）の下方に表示する（ステップＳ１３、図４（ｃ）参照）制御を行うように構成されている。
【００４６】
また、ソフトウェアキーボードＳの上下方向の幅は、表示領域（表示面４０）の上下方向の幅の半分よりも小さくなるように構成（図４（ｃ）参照）されている。
【００４７】
具体的には、図４（ａ）に示すように、テキストボックスＴ１１、テキストボックスＴ２１、決定ボタンＯ１、取り消しボタンＣ１が設けられたウインドウＷ１が表示されており、タッチ（選択）されたテキストボックスＴ２１がフォーカスを取得したとする。
【００４８】
ここで、ステップＳ５において、図４（ｂ）に示すように、制御部５は、ウインドウＷ１の占有領域およびソフトウェアキーボードＳの表示サイズに基づいて、ソフトウェアキーボードＳを表示領域の下方に表示する場合に、ソフトウェアキーボードＳがウインドウＷ１に重ならないように表示することが可能であるか否かを判断する。そして、可能であれば（Ｙｅｓ）、図４（ｃ）に示すように、ステップＳ１３において、画面下方にソフトウェアキーボードＳを表示する。この場合、ウインドウＷ１の全体が表示されているので、ソフトウェアキーボードＳを表示したままの状態で、決定ボタンＯ１および取り消しボタンＣ１をタッチすることができる。なお、ステップＳ１３において、ソフトウェアキーボードＳが表示されると、表示位置決定処理が終了される。
【００４９】
なお、上方および下方とは、それぞれ表示領域（表示面４０）の上下方向の半分より上側および下側を意味している。そのため、上方（下方）に表示するとは、可能な限り上方（下方）に表示するという意味に限らない。また、ソフトウェアキーボードＳおよびウインドウＷの左右方向の表示位置は、表示領域（表示面４０）の左右方向の中央であってもよいし、左側または右側であってもよい。また、ソフトウェアキーボードＳは、表示領域（表示面４０）の端部（外縁部）に接するように表示されてもよいし、表示領域（表示面４０）の端部（外縁部）から離間した状態（オフセットされた状態）で表示されてもよい。
【００５０】
一方、ステップＳ５において、ソフトウェアキーボードＳをウインドウＷに重ならないように表示することが可能でないと判断された場合（Ｎｏ）、ステップＳ６に進む。
【００５１】
ここで、本実施形態の移動型Ｘ線撮影装置１００では、制御部５は、情報の入力時に呼び出されたソフトウェアキーボードＳを表示部４に表示する際に、予め表示部４に表示されているウインドウＷに重ならないようにソフトウェアキーボードＳを表示領域の下方に表示可能でない場合（ステップＳ５のＮｏの場合）、ソフトウェアキーボードＳに重ならないようにウインドウＷを表示領域の上方に移動させる（ステップＳ６のＹｅｓの場合を経たステップＳ１１）とともに、ソフトウェアキーボードＳを表示部４の表示領域の下方に表示する（ステップＳ１３、図５（ｄ）参照）制御を行うように構成されている。
【００５２】
具体的には、図５（ａ）に示すように、テキストボックスＴ１２、テキストボックスＴ２２、決定ボタンＯ２、取り消しボタンＣ２が設けられたウインドウＷ２が表示されており、タッチ（選択）されたテキストボックスＴ２２がフォーカスを取得したとする。また、ウインドウＷ２は、図５（ｂ）に示すように、下方に表示されるソフトウェアキーボードＳと重なる。
【００５３】
ここで、ステップＳ６において、図５（ｃ）に示すように、制御部５は、ソフトウェアキーボードＳを表示領域の下方に表示する場合に、ウインドウＷ２を表示領域の上方に移動させることにより、ソフトウェアキーボードＳがウインドウＷ２に重ならないように表示することが可能であるか否かを判断する。そして、可能であれば（Ｙｅｓ）、図５（ｄ）に示すように、ステップＳ１１において、ウインドウＷ２とソフトウェアキーボードＳとの重なりが生じなくなる位置までウインドウＷ２を上方に移動し、ステップＳ１３において、画面下方にソフトウェアキーボードＳを表示する。この場合、ウインドウＷ２の全体が表示されているので、ソフトウェアキーボードＳを表示したままの状態で、決定ボタンＯ２および取り消しボタンＣ２をタッチすることができる。
【００５４】
一方、ステップＳ６において、ウインドウＷを画面上部に移動させることによりソフトウェアキーボードＳをウインドウＷに重ならないように画面下方に表示可能でないと判断された場合（Ｎｏ）、ステップＳ７において、制御部５は、テキストボックスＴが表示領域を占有する領域（表示領域に占めるサイズ）を取得し、ステップＳ８に進む。
【００５５】
ここで、本実施形態の移動型Ｘ線撮影装置１００では、制御部５は、情報の入力時に呼び出されたソフトウェアキーボードＳを表示部４に表示する際に、予め表示部４に表示されているウインドウＷに重ならないようにソフトウェアキーボードＳを表示領域の下方に表示可能でない場合（ステップＳ５のＮｏの場合）、かつ、ソフトウェアキーボードＳに重ならないようにウインドウＷを表示領域の上方に移動させてもソフトウェアキーボードＳがウインドウＷに重なる場合（ステップＳ６のＮｏの場合）、ウインドウＷのテキストボックスＴに重ならないように、ウインドウＷの位置を移動させないでソフトウェアキーボードＳを表示領域の下方に表示する（ステップＳ８のＹｅｓの場合を経たステップＳ１３、図６（ｄ）参照）制御を行うように構成されている。
【００５６】
具体的には、図６（ａ）に示すように、テキストボックスＴ１３、テキストボックスＴ２３、決定ボタンＯ３、取り消しボタンＣ３が設けられたウインドウＷ３が表示され、タッチ（選択）されたテキストボックスＴ１３がフォーカスを取得したとする。このとき、ウインドウＷ３は、図６（ｂ）示すように、下方に表示されるソフトウェアキーボードＳと重なる。また、ウインドウＷ３は、図６（ｃ）に示すように、位置を上方に移動させても、下方に表示されるソフトウェアキーボードＳと重なる。
【００５７】
ここで、ステップＳ８において、図６（ｄ）に示すように、制御部５は、ウインドウＷ３の占有領域およびテキストボックスＴ１３の表示サイズに基づいて、テキストボックスＴ１３に重ならないようにソフトウェアキーボードＳを表示領域の下方に表示することが可能であるか否かを判断する。そして、テキストボックスＴ１３に重ならないようにソフトウェアキーボードＳを表示領域の下方に表示可能であれば（Ｙｅｓ）、ステップＳ１３において、図６（ｅ）に示すように、キーボードを表示領域の下方に表示し、表示位置決定処理を終了する。
【００５８】
一方、ステップＳ８において、ウインドウＷ４およびウインドウＷ５（図７（ｄ）および図８（ｄ）参照）に設けられるテキストボックスＴ２４およびテキストボックスＴ２５に重ならないようにソフトウェアキーボードＳを表示部４の表示領域の下方に表示可能でない場合（Ｎｏ）、ステップＳ９に進む。
【００５９】
ここで、本実施形態の移動型Ｘ線撮影装置１００では、制御部５は、ウインドウＷに設けられるテキストボックスＴに重ならないようにソフトウェアキーボードＳを表示部４の表示領域の下方に表示可能でない場合（ステップＳ８のＮｏの場合）、テキストボックスＴがソフトウェアキーボードＳに重ならないようにウインドウＷを表示領域の上方に移動させる（ステップＳ９のＹｅｓの場合を経たステップＳ１２）とともに、ソフトウェアキーボードＳを表示部４の表示領域の下方に表示する（ステップＳ１３、図７（ｆ）参照）制御を行うように構成されている。
【００６０】
具体的には、図７（ａ）に示すように、テキストボックスＴ１４、テキストボックスＴ２４、決定ボタンＯ４、取り消しボタンＣ４が設けられたウインドウＷ４が表示され、タッチ（選択）されたテキストボックスＴ２４がフォーカスを取得したとする。このとき、ウインドウＷ４は、図７（ｂ）に示すように、下方に表示されるソフトウェアキーボードＳと重なる。また、ウインドウＷ４は、図７（ｃ）に示すように、位置を上方に移動させても、下方に表示されるソフトウェアキーボードＳと重なる。また、ウインドウＷ４の設けられるテキストボックスＴ２５は、図７（ｄ）に示すように、下方に表示されるソフトウェアキーボードＳと重なる。
【００６１】
ここで、ステップＳ９において、図７（ｅ）に示すように、制御部５は、ソフトウェアキーボードＳを表示領域の下方に表示する場合に、ウインドウＷ４を表示領域の上方に移動させることにより、ソフトウェアキーボードＳがウインドウＷ４に重ならないように表示することが可能であるか否かを判断する。そして、可能であれば（Ｙｅｓ）、図７（ｆ）に示すように、ステップＳ１２において、入力対象である（選択された）テキストボックスＴ２４とソフトウェアキーボードＳとの重なりが生じなくなる位置までウインドウＷ４を上方に移動し、ステップＳ１３において、画面下方にソフトウェアキーボードＳを表示し、表示位置決定処理を終了する。
【００６２】
一方、ステップＳ９において、ウインドウＷを画面上部に移動させることによりソフトウェアキーボードＳを入力対象である（選択された）テキストボックスＴに重ならないように画面下方に表示可能でないと判断された場合（Ｎｏ）、ステップＳ１０に進む。
【００６３】
ここで、本実施形態の移動型Ｘ線撮影装置１００では、制御部５は、ウインドウＷに設けられるテキストボックスＴに重ならないようにソフトウェアキーボードＳを表示部４の表示領域の下方に表示可能でない（ステップＳ８のＮｏの場合）場合、かつ、ソフトウェアキーボードＳに重ならないようにウインドウＷを表示領域の上方に移動させてもソフトウェアキーボードＳがテキストボックスＴに重なる場合（ステップＳ９のＮｏの場合）、ウインドウＷのテキストボックスＴに重ならないように、ウインドウＷの位置を移動させないでソフトウェアキーボードＳを表示領域の上方に表示する（Ｓ１０、図８（ｆ）参照）制御を行うように構成されている。
【００６４】
具体的には、図８（ａ）に示すように、テキストボックスＴ１５、テキストボックスＴ２５、決定ボタンＯ５、取り消しボタンＣ５が設けられたウインドウＷ５が表示され、タッチ（選択）されたテキストボックスＴ２５がフォーカスを取得したとする。このとき、ウインドウＷ５は、図８（ｂ）に示すように、下方に表示されるソフトウェアキーボードＳと重なる。また、ウインドウＷ５は、図８（ｃ）に示すように、位置を上方に移動させても、下方に表示されるソフトウェアキーボードＳと重なる。また、ウインドウＷ５の設けられるテキストボックスＴ２５は、図８（ｄ）に示すように、下方に表示されるソフトウェアキーボードＳと重なる。また、図８（ｅ）に示すように、ウインドウＷ５の位置を上方に移動させても、テキストボックスＴ２５と下方に表示されるソフトウェアキーボードＳとが重なる。
【００６５】
ここで、ステップＳ１０において、図８（ｆ）に示すように、制御部５は、入力対象である（選択された）テキストボックスＴ２５に重ならないようにソフトウェアキーボードＳを上方に表示させ、表示位置決定処理を終了する。この場合、ソフトウェアキーボードＳは、テキストボックスＴ２５に対して操作する操作者の手がテキストボックスＴ２５を覆わないように、テキストボックスＴ２５からなるべく離間した位置（たとえば、表示領域（表示面４０）の上端近く）に表示される。
【００６６】
なお、上記ソフトウェアキーボードＳの表示位置は、テキストボックスＴが選択された（フォーカスを取得した）時点で最初に表示される位置であり、ソフトウェアキーボードＳの表示位置は、ソフトウェアキーボードＳをタッチしたままスライドさせるドラッグ操作により、変更可能である。また、同様に、ウインドウＷの表示位置についても、ドラッグ操作により変更可能である。また、ソフトウェアキーボードＳの表示は、ウインドウＷのテキストボックスＴ以外の部分かつソフトウェアキーボードＳでない部分をタッチ等することにより、テキストボックスＴが選択された状態（フォーカスを取得した状態）が解除されると、消える。
【００６７】
（テキストボックスの変更）
次に、図９を参照して、ソフトウェアキーボードＳがウインドウＷ６に重なっている場合に、入力対象として選択された（フォーカスが取得された）一のテキストボックスＴ（第１テキストボックスＴ１６）が別のテキストボックスＴ（第２テキストボックスＴ２６）に変更された場合の処理について説明する。なお、ウインドウＷ６は、ウインドウＷ６に設けられる第１テキストボックスＴ１６および第２テキストボックスＴ２６を含む。なお、第１テキストボックスＴ１６は、請求の範囲の「第１情報入力領域」の一例である。また、第２テキストボックスＴ２６は、請求の範囲の「第２情報入力領域」の一例である。
【００６８】
まず、図９（ａ）に示すように、第１テキストボックスＴ１６が選択され第１テキストボックスＴ１６に情報の入力が可能な状態（フォーカスを取得した状態）では、ソフトウェアキーボードＳは、第１テキストボックスＴ１６に重なっていない。
【００６９】
ここで、本実施形態の移動型Ｘ線撮影装置１００では、制御部５は、図９（ｂ）に示すように、第１テキストボックスＴ１６が選択され第１テキストボックスＴ１６に情報の入力が可能となった状態から、第２テキストボックスＴ２６が選択され第２テキストボックスＴ２６に情報の入力が可能となった状態に移行する際において、ソフトウェアキーボードＳが第２テキストボックスＴ２６に重なる場合、ソフトウェアキーボードＳが第２テキストボックスＴ２６に重ならないように、ソフトウェアキーボードＳを表示領域の上方に表示する制御（図９（ｃ）参照）を行うように構成されている。
【００７０】
具体的には、ソフトウェアキーボードＳは、選択された（フォーカスを取得した）テキストボックスＴを移行させる機能を有するＴａｂキーＫ１が設けられている。そして、図９（ｂ）に示すように、ＴａｂキーＫ１が押される（タッチされる）ことにより、選択される（フォーカスを取得する）テキストボックスＴが、第１テキストボックスＴ１６から第２テキストボックスＴ２６に移行する。その結果、ソフトウェアキーボードＳを下方に表示すると、入力対象となる選択された（フォーカスを取得した）第２テキストボックスＴ２６に対して、ソフトウェアキーボードＳが重なるので、図９（ｃ）に示すように、制御部５は、ソフトウェアキーボードＳを上方に移動させて表示し、ソフトウェアキーボードＳとウインドウＷとの重なりを解消させる。
【００７１】
この場合、ソフトウェアキーボードＳは、表示位置が下方から上方に瞬時に（間がなく）移動させる場合に限らず、下方に表示された状態から、徐々に上方に移動させてもよい。これにより、操作者が、ソフトウェアキーボードＳを見失うこと（ソフトウェアキーボードＳが視線から外れること）が抑制される。
【００７２】
（本実施形態の効果）
本実施形態では、以下のような効果を得ることができる。
【００７３】
本実施形態では、上記のように、制御部５を、情報の入力時に呼び出されたソフトウェアキーボードＳを表示部４に表示する際に、予め表示部４に表示されているウインドウＷに重ならないようにソフトウェアキーボードＳを表示部４の表示領域の下方に表示可能である場合、ソフトウェアキーボードＳを表示部４の表示領域の下方に表示する制御を行うように構成する。これにより、予め表示部４に表示されているウインドウＷに重ならないようにソフトウェアキーボードＳを表示部４の表示領域の下方に表示可能である場合には、ソフトウェアキーボードＳがウインドウＷに重ならないように表示されるので、表示すべき情報（たとえば、ソフトウェアキーボードＳにより入力される数値や文字列の情報など）にソフトウェアキーボードＳが重なって表示され、表示すべき情報が隠されることを抑制することができる。すなわち、ソフトウェアキーボードＳが表示画面（ウインドウＷ中のテキストボックス等）への入力操作を妨げる位置に表示されることを抑制することができる。また、ソフトウェアキーボードＳが表示部４の表示領域の下方に表示されるので、ソフトウェアキーボードＳを原則として表示領域の下方に表示させることができる。その結果、情報の入力時に呼び出されるソフトウェアキーボードＳの表示位置が呼び出すごとに異なることが抑制されるので、情報の入力時に呼び出されるソフトウェアキーボードＳの操作性が悪くなるのを抑制することができる。これらの結果、情報の入力時に呼び出されるソフトウェアキーボード画面により表示画面の操作性が悪くなるのを抑制することができる。
【００７４】
また、ソフトウェアキーボードＳを操作者がタッチすることにより情報を入力する場合（すなわち、表示部４がタッチパネルである場合）、操作者の手および腕が表示部４に表示された画像（情報）を覆う場合がある。そこで、ソフトウェアキーボードＳを表示部４の表示領域の下方に表示するように構成することによって、ソフトウェアキーボードＳが表示領域の上方に表示される場合と比べて、操作者の手および腕が表示部４（表示部４に表示された画像）を覆う領域（面積）を小さくすることができる。その結果、ソフトウェアキーボードＳに対する入力操作時に、表示部４に表示された画像の視認性が悪くなるのを抑制することができる。すなわち、表示部４に表示された画像（情報）に基づいて行われるソフトウェアキーボードＳを使用した情報入力の操作性が悪くなるのを抑制することができる。
【００７５】
また、本実施形態では、上記のように、ウインドウＷの情報入力領域を、文字に関する情報が入力されるテキストボックスＴを含むように構成する。これにより、ソフトウェアキーボードＳと重ならないように表示される情報入力領域のテキストボックスＴを見ながら、表示されたソフトウェアキーボードＳにより文字情報を入力することができる。
【００７６】
また、本実施形態では、上記のように、ソフトウェアキーボードＳの上下方向の幅を、表示領域の上下方向の幅の半分よりも小さくなるように構成する。これにより、ソフトウェアキーボードＳの面積が比較的小さくなるので、ソフトウェアキーボードＳがウインドウＷに重なるのを容易に抑制することができる。
【００７７】
また、本実施形態では、上記のように、制御部５を、情報の入力時に呼び出されたソフトウェアキーボードＳを表示部４に表示する際に、予め表示部４に表示されているウインドウＷに重ならないようにソフトウェアキーボードＳを表示領域の下方に表示可能でない場合、ソフトウェアキーボードＳに重ならないようにウインドウＷを表示領域の上方に移動させるとともに、ソフトウェアキーボードＳを表示部４の表示領域の下方に表示する制御を行うように構成する。これにより、ウインドウＷが表示領域の上方に移動されるので、ソフトウェアキーボードＳがウインドウＷに重なるのを、容易に抑制することができる。
【００７８】
また、本実施形態では、上記のように、制御部５を、情報の入力時に呼び出されたソフトウェアキーボードＳを表示部４に表示する際に、予め表示部４に表示されているウインドウＷに重ならないようにソフトウェアキーボードＳを表示領域の下方に表示可能でない場合、かつ、ソフトウェアキーボードＳに重ならないようにウインドウＷを表示領域の上方に移動させてもソフトウェアキーボードＳがウインドウＷに重なる場合、ウインドウＷに設けられるテキストボックスＴに重ならないように、ウインドウＷの位置を移動させないでソフトウェアキーボードＳを表示領域の下方に表示する制御を行うように構成する。これにより、ソフトウェアキーボードＳを表示した状態でウインドウＷのうちの少なくともテキストボックスＴを視認することができるので、操作者の手および腕が表示部４（表示部４に表示された画像）を覆う領域（面積）を小さくした状態で、テキストボックスＴを視認しながらソフトウェアキーボードＳを操作することができる。また、ウインドウＷの位置を移動させないので、ウインドウＷの移動に起因する操作者の視線移動の負担が生じるのを抑制することができる。
【００７９】
また、本実施形態では、上記のように、制御部５を、ウインドウＷに設けられるテキストボックスＴに重ならないようにソフトウェアキーボードＳを表示部４の表示領域の下方に表示可能でない場合、テキストボックスＴがソフトウェアキーボードＳに重ならないようにウインドウＷを表示領域の上方に移動させるとともに、ソフトウェアキーボードＳを表示部４の表示領域の下方に表示する制御を行うように構成する。これにより、ソフトウェアキーボードＳを表示した状態でウインドウＷのうちの少なくとも情報入力領域を視認することができるので、テキストボックスＴを視認しながらソフトウェアキーボードＳを操作することができる。
【００８０】
また、本実施形態では、上記のように、制御部５を、ウインドウＷに設けられるテキストボックスＴに重ならないようにソフトウェアキーボードＳを表示部４の表示領域の下方に表示可能でない場合、かつ、ソフトウェアキーボードＳに重ならないようにウインドウＷを表示領域の上方に移動させてもソフトウェアキーボードＳがテキストボックスＴに重なる場合、ウインドウＷに設けられるテキストボックスＴに重ならないように、ウインドウＷの位置を移動させないでソフトウェアキーボードＳを表示領域の上方に表示する制御を行うように構成する。これにより、ソフトウェアキーボードＳを表示した状態でウインドウＷのうちの少なくともテキストボックスＴを視認することができるので、テキストボックスＴを視認しながらソフトウェアキーボードＳを操作することができる。
【００８１】
また、本実施形態では、上記のように、制御部５は、第１テキストボックスＴ１６が選択され第１テキストボックスＴ１６に情報の入力が可能となった状態から、第２テキストボックスＴ２６が選択され第２テキストボックスＴ２６に情報の入力が可能となった状態に移行する際において、ソフトウェアキーボードＳが第２テキストボックスＴ２６に重なる場合、ソフトウェアキーボードＳが第２テキストボックスＴ２６に重ならないように、ソフトウェアキーボードＳを表示領域の上方に表示する制御を行うように構成する。これにより、選択されるテキストボックスＴが移行したとしても、ソフトウェアキーボードＳがテキストボックスＴに重なるのを抑制することができる。
【００８２】
また、本実施形態では、上記のように、表示部４を、装置本体部１（筐体１０）に表示面４０が寝かされた状態で配置する。ここで、装置本体部１（筐体１０）に表示面４０が寝かされた状態で配置されている表示部４では、表示部４の表示領域の下方が操作者の手前側になる。そこで、ソフトウェアキーボードＳを表示部４の表示領域の下方に表示する制御を行うように構成することは、寝かされた状態で配置されている表示部４において、操作者の手および腕が表示部４（表示部４に表示された画像）を覆う領域（面積）を小さくするという点において、特に有効である。
【００８３】
（変形例）
なお、今回開示された実施形態は、すべての点で例示であって制限的なものではないと考えられるべきである。本発明の範囲は、上記した実施形態の説明ではなく請求の範囲によって示され、さらに請求の範囲と均等の意味および範囲内でのすべての変更（変形例）が含まれる。
【００８４】
たとえば、上記実施形態では、ソフトウェアキーボードＳの表示を、ウインドウＷのテキストボックスＴ以外の部分かつソフトウェアキーボードＳでない部分をタッチ（押す）ことにより、テキストボックスＴが選択された状態（フォーカスを取得した状態）が解除され、消えるように構成する例を示したが、本発明はこれに限られない。本発明では、ソフトウェアキーボードＳの表示は、ソフトウェアキーボードＳの図示しない非表示ボタンをタッチする（押す）ことにより消えるように構成してもよい。
【００８５】
また、上記実施形態では、本発明の情報入力領域をテキストボックスＴとする例を示したが、本発明はこれに限られない。本発明では、情報入力領域は、ソフトウェアキーボードＳの入力（たとえば、数値入力）により撮影者（ユーザ）が操作することが可能なボタンやスライダー等の様々なユーザーインターフェース要素（ＵＩコントロール、入力コントロール）を含んでもよい。
【００８６】
また、上記実施形態では、情報入力領域であるテキストボックスＴに入力される情報が患者情報ｉに対応する文字情報である例を示したが、本発明はこれに限らない。情報入力領域に入力される情報は、Ｘ線画像Ｉに関する情報や患者の検査情報の他、移動型Ｘ線撮影装置１００に関する情報、移動型Ｘ線撮影装置１００の各種の設定、Ｘ線撮影条件のプリセットのパラメータや画像処理のためのプリセットのパラメータなどでもよい。すなわち、テキストボックスＴに入力される情報は、ソフトウェアキーボードＳにより入力（入力、追加、変更、削除、修正等）される文字や数値等のなんらかの情報であればよい。
【００８７】
また、上記実施形態では、ウインドウＷを上方に移動させる際に、ウインドウＷとソフトウェアキーボードＳとが離間する位置まで上方に移動させる例（図５参照）を示したが、本発明はこれに限られない。本発明では、ウインドウＷの下端とソフトウェアキーボードＳの上端とが接するように、ウインドウＷを上方に移動させてもよい。
【００８８】
また、上記実施形態では、ステップＳ９においてウインドウを画面上方に移動させることによりソフトウェアキーボードを画面下方に表示可能か否かを判断するように構成されている例を示したが、本発明はこれに限られない。本発明では、ステップＳ８において、入力対象のテキストボックスＴに重ならずにソフトウェアキーボードを表示領域の下方に表示不可能な場合に（Ｎｏ）、ステップＳ９を省略してステップＳ１０に進み、画面上方にソフトウェアキーボードＳを表示するように構成してもよい。
【００８９】
また、上記実施形態では、図９に示すように、制御部５を、第２テキストボックスＴ６２が選択され第２テキストボックスＴ６２に情報の入力が可能となった状態に移行する際において、ソフトウェアキーボードＳが第２テキストボックスＴ６２に重なる場合、ソフトウェアキーボードＳを表示領域の上方に移動させる制御を行うように構成する例を示したが、本発明はこれに限られない。本発明では、制御部５を、第２テキストボックスＴ６２が選択され第２テキストボックスＴ６２に情報の入力が可能となった状態に移行する際において、ソフトウェアキーボードＳが第２テキストボックスＴ６２に重なる場合、ソフトウェアキーボードＳが第２テキストボックスＴ６２に重ならないように、ウインドウＷを表示領域の上方に移動させるとともにソフトウェアキーボードＳを下方に表示するように構成してもよい。
【００９０】
また、上記実施形態では、情報の入力時に呼び出されたソフトウェアキーボードＳを表示する際に、ソフトウェアキーボードＳがウインドウＷ（テキストボックスＴ）に重ならない位置に表示する例を示したが、本発明はこれに限られない。たとえば、ソフトウェアキーボードＳを呼び出した際に、ソフトウェアキーボードＳがウインドウＷ（テキストボックスＴ）に重なった状態から、徐々に、ソフトウェアキーボードＳがウインドウＷ（テキストボックスＴ）に重ならない位置に移動するようにしてもよい。これにより、操作者が、ソフトウェアキーボードＳを見失うこと（ソフトウェアキーボードＳが視線から外れること）が抑制される。
【００９１】
また、上記実施形態では、ウインドウＷの情報（表示内容）にＸ線画像Ｉが含まれる例を示したが、本発明はこれに限られない。本発明では、Ｘ線画像Ｉが情報（表示内容）として含まれないウインドウＷであってもよい。
【００９２】
また、上記実施形態では、Ｘ線照射部２および表示部４が１つの筐体１０に設けられている例を示したが、Ｘ線照射部２および表示部４がそれぞれ移動可能な異なる２つの筐体に設けられていてもよい。
【００９３】
また、上記実施形態では、制御部５が筐体１０に内蔵されている（設けられている）例を示したが、制御部５は、筐体１０に内蔵されていなくてもよい。
【００９４】
また、上記実施形態では、２つ（一対）のＦＰＤ３１およびＦＰＤ３２が装置本体部１（制御部５）と無線により通信するように構成されている例を示したが、ＦＰＤの数は２つ（一対）でなくてもよい。また、ＦＰＤは、装置本体部１（制御部５）と有線により通信するように構成されていてもよい。
【００９５】
また、上記実施形態では、説明の便宜上、本発明のＸ線撮影装置の処理を処理フローに沿って順番に処理を行うフロー駆動型のフローチャートを用いて説明したが、本発明はこれに限られない。本発明では、処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００９６】
１  装置本体部（Ｘ線撮影装置本体）
２  Ｘ線照射部
３  Ｘ線検出部
４  表示部
５  制御部
１１  車輪
４０  表示面
１００  Ｘ線撮影装置
Ｓ  ソフトウェアキーボード（ソフトウェアキーボード画面）
Ｔ、Ｔａ、Ｔｂ、Ｔｃ、Ｔ１１、Ｔ２１、Ｔ１２、Ｔ２２、Ｔ１３、Ｔ２３、Ｔ１４、Ｔ２４、Ｔ１５、Ｔ２５  テキストボックス（情報入力領域）
Ｔ１６  第１テキストボックス（第１情報入力領域）
Ｔ２６  第２テキストボックス（第２情報入力領域）
Ｗ、Ｗ１、Ｗ２、Ｗ３、Ｗ４、Ｗ５、Ｗ６  ウインドウ（情報入力画面）
【図１】
2018159067.tif 000003
【図２】
2018159067.tif 000004
【図３】
2018159067.tif 000005
【図４】
2018159067.tif 000006
【図５】
2018159067.tif 000007
【図６】
2018159067.tif 000008
【図７】
2018159067.tif 000009
【図８】
2018159067.tif 000010
【図９】
2018159067.tif 000011
【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
移動可能に設置された移動型Ｘ線撮影装置であって、
被検体にＸ線を照射するＸ線照射部と、
前記被検体を透過したＸ線を検出し、Ｘ線画像を撮影するＸ線検出部と、
情報を入力するための少なくとも１つの情報入力領域を設けられた情報入力画面と、前記情報の入力時に呼び出されるソフトウェアキーボード画面とを表示する表示部と、
前記表示部における前記情報入力領域が設けられた前記情報入力画面と前記ソフトウェアキーボード画面との表示を制御する制御部とを備え、
前記制御部は、前記情報の入力時に呼び出された前記ソフトウェアキーボード画面を前記表示部に表示する際に、予め前記表示部に表示されている前記情報入力画面に重ならないように前記ソフトウェアキーボード画面を前記表示部の表示領域の下方に表示可能である場合、前記ソフトウェアキーボード画面を前記表示部の前記表示領域の下方でかつＸ線撮影装置本体のハンドル部側に表示する制御を行うように構成されている、移動型Ｘ線撮影装置。
【請求項２】
前記情報入力領域は、文字に関する前記情報が入力されるテキストボックスを含む、請求項１に記載の移動型Ｘ線撮影装置。
【請求項３】
前記ソフトウェアキーボード画面の上下方向の幅は、前記表示領域の上下方向の幅の半分よりも小さくなるように構成されている、請求項１に記載の移動型Ｘ線撮影装置。
【請求項４】
前記制御部は、前記情報の入力時に呼び出された前記ソフトウェアキーボード画面を前記表示部に表示する際に、予め前記表示部に表示されている前記情報入力画面に重ならないように前記ソフトウェアキーボード画面を前記表示領域の下方に表示可能でない場合、前記情報入力画面が前記ソフトウェアキーボード画面に重ならないように前記情報入力画面を前記表示領域の上方に移動させるとともに、前記ソフトウェアキーボード画面を前記表示部の前記表示領域の下方に表示する制御を行うように構成されている、請求項１に記載の移動型Ｘ線撮影装置。
【請求項５】
前記制御部は、前記情報の入力時に呼び出された前記ソフトウェアキーボード画面を前記表示部に表示する際に、予め前記表示部に表示されている前記情報入力画面に重ならないように前記ソフトウェアキーボード画面を前記表示領域の下方に表示可能でない場合、かつ、前記ソフトウェアキーボード画面に重ならないように前記情報入力画面を前記表示領域の上方に移動させても前記ソフトウェアキーボード画面が前記情報入力画面に重なる場合、前記情報入力画面に設けられる前記情報入力領域に重ならないように、前記情報入力画面の位置を移動させないで前記ソフトウェアキーボード画面を前記表示領域の下方に表示する制御を行うように構成されている、請求項４に記載の移動型Ｘ線撮影装置。
【請求項６】
前記制御部は、前記情報入力画面に設けられる前記情報入力領域に重ならないように前記ソフトウェアキーボード画面を前記表示部の前記表示領域の下方に表示可能でない場合、前記情報入力領域が前記ソフトウェアキーボード画面に重ならないように前記情報入力画面を前記表示領域の上方に移動させるとともに、前記ソフトウェアキーボード画面を前記表示部の前記表示領域の下方に表示する制御を行うように構成されている、請求項５に記載の移動型Ｘ線撮影装置。
【請求項７】
前記制御部は、前記情報入力画面に設けられる前記情報入力領域に重ならないように前記ソフトウェアキーボード画面を前記表示部の前記表示領域の下方に表示可能でない場合、かつ、前記ソフトウェアキーボード画面に重ならないように前記情報入力画面を前記表示領域の上方に移動させても前記ソフトウェアキーボード画面が前記情報入力領域に重なる場合、前記情報入力画面に設けられる前記情報入力領域に重ならないように、前記情報入力画面の位置を移動させないで前記ソフトウェアキーボード画面を前記表示領域の上方に表示する制御を行うように構成されている、請求項６に記載の移動型Ｘ線撮影装置。
【請求項８】
前記情報入力領域は、前記情報入力画面に設けられる第１情報入力領域および第２情報入力領域を含み、
前記制御部は、前記第１情報入力領域が選択され前記第１情報入力領域に前記情報の入力が可能となった状態から、前記第２情報入力領域が選択され前記第２情報入力領域に前記情報の入力が可能となった状態に移行する際において、前記ソフトウェアキーボード画面が前記第２情報入力領域に重なる場合、前記ソフトウェアキーボード画面が前記第２情報入力領域に重ならないように、前記情報入力画面を前記表示領域の上方に移動させる制御、または、前記ソフトウェアキーボード画面を前記表示領域の上方に表示する制御のうちの少なくともいずれか一方を行うように構成されている、請求項７に記載の移動型Ｘ線撮影装置。
【請求項９】
Ｘ線撮影装置本体を移動させるための車輪をさらに備え、
前記表示部は、前記Ｘ線撮影装置本体に表示面が寝かされた状態で配置されている、請求項１に記載の移動型Ｘ線撮影装置。
【請求項１０】
移動可能に設置された移動型Ｘ線撮影装置の表示部の制御方法であって、
前記表示部に情報入力画面を表示するステップと、
情報の入力時に呼び出されたソフトウェアキーボード画面を前記表示部に表示する際に、予め前記表示部に表示されている前記情報入力画面に重ならないように前記ソフトウェアキーボード画面を前記表示部の表示領域の下方に表示可能である場合、前記ソフトウェアキーボード画面を前記表示部の表示領域の下方でかつＸ線撮影装置本体のハンドル部側に表示するステップとを備える、移動型Ｘ線撮影装置の表示部の制御方法。
【手続補正２】
【補正対象書類名】明細書
【補正対象項目名】０００８
【補正方法】変更
【補正の内容】
【０００８】
上記目的を達成するために、この発明の第１の局面における移動型Ｘ線撮影装置は、移動可能に設置された移動型Ｘ線撮影装置であって、被検体にＸ線を照射するＸ線照射部と、被検体を透過したＸ線を検出し、Ｘ線画像を撮影するＸ線検出部と、情報を入力するための少なくとも１つの情報入力領域を設けられた情報入力画面と、情報の入力時に呼び出されるソフトウェアキーボード画面とを表示する表示部と、表示部における情報入力領域が設けられた情報入力画面とソフトウェアキーボード画面との表示を制御する制御部とを備え、制御部は、情報の入力時に呼び出されたソフトウェアキーボード画面を表示部に表示する際に、予め表示部に表示されている情報入力画面に重ならないようにソフトウェアキーボード画面を表示部の表示領域の下方に表示可能である場合、ソフトウェアキーボード画面を表示部の表示領域の下方でかつＸ線撮影装置本体のハンドル部側に表示する制御を行うように構成されている。
【手続補正３】
【補正対象書類名】明細書
【補正対象項目名】０００９
【補正方法】変更
【補正の内容】
【０００９】
この発明の第１の局面による移動型Ｘ線撮影装置では、上記のように、制御部を、情報の入力時に呼び出されたソフトウェアキーボード画面を表示部に表示する際に、予め表示部に表示されている情報入力画面に重ならないようにソフトウェアキーボード画面を表示部の表示領域の下方に表示可能である場合、ソフトウェアキーボード画面を表示部の表示領域の下方でかつＸ線撮影装置本体のハンドル部側に表示する制御を行うように構成する。これにより、予め表示部に表示されている情報入力画面に重ならないようにソフトウェアキーボード画面を表示部の表示領域の下方に表示可能である場合には、ソフトウェアキーボード画面が情報入力画面に重ならないように表示されるので、表示すべき情報（たとえば、ソフトウェアキーボード画面により入力される数値や文字列の情報など）にソフトウェアキーボード画面が重なって表示され、表示すべき情報が隠されることを抑制することができる。すなわち、ソフトウェアキーボード画面が表示画面への入力操作を妨げる位置に表示されることを抑制することができる。また、ソフトウェアキーボード画面が表示部の表示領域の下方に表示されるので、ソフトウェアキーボード画面を原則として表示領域の下方に表示することができる。したがって、情報の入力時に呼び出されるソフトウェアキーボード画面の表示位置が呼び出すごとに異なることが抑制されるので、情報の入力時に呼び出されるソフトウェアキーボード画面の操作性が悪くなるのを抑制することができる。これらの結果、情報の入力時に呼び出されるソフトウェアキーボード画面により表示画面の操作性が悪くなるのを抑制することができる。
【手続補正４】
【補正対象書類名】明細書
【補正対象項目名】００１９
【補正方法】変更
【補正の内容】
【００１９】
この発明の第２の局面における移動型Ｘ線撮影装置の表示部の制御方法は、移動可能に設置された移動型Ｘ線撮影装置の表示部の制御方法であって、表示部に情報入力画面を表示するステップと、情報の入力時に呼び出されたソフトウェアキーボード画面を表示部に表示する際に、予め表示部に表示されている情報入力画面に重ならないようにソフトウェアキーボード画面を表示部の表示領域の下方に表示可能である場合、ソフトウェアキーボード画面を表示部の表示領域の下方でかつＸ線撮影装置本体のハンドル部側に表示するステップとを備える。
【手続補正５】
【補正対象書類名】明細書
【補正対象項目名】００２０
【補正方法】変更
【補正の内容】
【００２０】
この発明の第２の局面による移動型Ｘ線撮影装置の表示部の制御方法では、上記のように、情報の入力時に呼び出されたソフトウェアキーボード画面を表示部に表示する際に、予め表示部に表示されている情報入力画面に重ならないようにソフトウェアキーボード画面を表示部の表示領域の下方に表示可能である場合、ソフトウェアキーボード画面を表示部の表示領域の下方でかつＸ線撮影装置本体のハンドル部側に表示するステップを備える。これにより、予め表示部に表示されている情報入力画面に重ならないようにソフトウェアキーボード画面を表示部の表示領域の下方に表示可能である場合には、ソフトウェアキーボード画面が情報入力画面に重ならないように表示されるので、表示すべき情報（たとえば、ソフトウェアキーボード画面により入力される数値や文字列の情報など）にソフトウェアキーボード画面が重なって表示され、表示すべき情報が隠されることを抑制することができる。すなわち、ソフトウェアキーボード画面が表示画面への入力操作を妨げるのを抑制することができる。また、ソフトウェアキーボード画面が表示部の表示領域の下方に表示されるので、ソフトウェアキーボード画面を原則として表示領域の下方に表示することができる。したがって、情報の入力時に呼び出されるソフトウェアキーボード画面の表示位置が呼び出すごとに異なることが抑制されるので、情報の入力時に呼び出されるソフトウェアキーボード画面の操作性が悪くなるのを抑制することができる。これらの結果、情報の入力時に呼び出されるソフトウェアキーボード画面により表示画面の操作性が悪くなるのを抑制することができる。
【国際調査報告】
2018159067.tif 000012
2018159067.tif 000013
2018159067.tif 000014
2018159067.tif 000015